(57)【要約】【課題】  記録シートの冷却工程で生ずる搬送ベルトの低温部による定着不良の防止。【解決手段】  下流側の記録シート冷却で生じた搬送ベルトの低温部が初めて加熱される部分に，記録シートを乗せない様に搬送タイミング・搬送ベルト速度・搬送ベルト搬送方向を調整する。【選択図】  図１
2007199394.tif 000002
【特許請求の範囲】
【請求項１】
複数のベルト支持ローラで張架されて回転する無端状の搬送ベルトと，
トナー像を担持する記録シートをそのトナー像形成面が前記搬送ベルトに当接する状態で加熱・加圧する加熱・加圧手段と，
その下流側で前記搬送ベルトに密着させたまま搬送された記録シートを，前記搬送ベルトとともに冷却して記録シートを前記搬送ベルトから分離せしめる冷却手段と，
を備えた定着装置において，
記録シートの前記搬送ベルト上における回転方向の貼り付け位置を調整するものであり，
連続して複数の記録シートを定着する時，
任意の記録シートの前記貼り付け位置を，
その記録シートの搬送方向下流側の記録シートの冷却によって生じた搬送ベルト低温部が初めて前記加熱・加圧手段により加熱される部分を含まないように調整する為の，記録シート配置調整手段を備えたことを特徴とする定着装置。
【請求項２】
前記記録シート配置調整手段は，前記搬送ベルトに記録シートを送り込むタイミングを調整する搬送タイミング調整手段を含むことを特徴とする請求項1に記載の定着装置。
【請求項３】
前記記録シート配置調整手段は，前記搬送ベルトの回転速度を調整する搬送ベルト速度調整手段を含むことを特徴とする請求項1又は請求項2に記載の定着装置。
【請求項４】
前記記録シート配置調整手段は，前記搬送ベルトの回転方向を正逆転する搬送ベルト回転方向切替手段を含むことを特徴とする請求項1〜請求項3のいずれかに記載の定着装置。
【発明の詳細な説明】
【技術分野】
【０００１】
本発明は，電子写真方式，静電記録方式等を利用したプリンタ，複写機，ファクシミリ，複合機等の画像形成装置の定着装置に係り，特に，記録シートに高光沢の画像を形成することが可能な定着装置に関するものである。
【背景技術】
【０００２】
近年，像担持体上に静電潜像を形成し，該静電潜像を現像することによりトナー像を形成し，該トナー像を記録媒体に転写，定着する，所謂電子写真方式によるカラープリンタやカラー複写機は，カラー画像を形成する用途が増えてきていることなどから普及している。
【０００３】
特に最近では普及の著しいデジタルカメラの画像出力用として使用されることも増えてきており，銀塩写真に匹敵するような高光沢の画質をもった画像の出力も可能なものが要求されるようになっている。
【０００４】
そこで，従来においても，例えば，光沢性に優れたカラー画像が得られる画像形成方法の提案がされている(特許文献1)。
【０００５】
その画像形成方法とは，熱源を内蔵する部材下に移動するベルト状搬送体(搬送ベルト)により，転写体(記録シート)の表面の熱可塑性樹脂からなる透明樹脂層上に付着したカラートナーを加熱して透明樹脂層中に溶融させ，次いで冷却して固着させ，さらに転写体をベルト状搬送体から分離してカラー画像を定着する方法である。
【０００６】
以降，このような定着方法を「高光沢定着方法」と呼ぶ。
【０００７】
高光沢性を実現するには，トナーを含む記録シート上の透明樹脂層が完全に固着した後に自然に搬送ベルトから分離させるのが好ましい。
【０００８】
何故なら，完全にトナーが固着しない状態で強制的に記録シートを搬送ベルトから分離しようとすると搬送ベルトとトナーを含む記録シート上の透明樹脂層との間に付着力が発生し，記録シート表面の平滑性が失われることで光沢性を損なうからである。
【０００９】
従って高光沢定着方法では，記録シートを自然に分離する為の冷却工程が重要になる。
【００１０】
この点についても従来より様々な冷却工程を含む定着装置の提案がなされている。
【００１１】
例えば，空冷式の冷却ローラやヒートシンク状の冷却構造体を搬送ベルトに接触させて冷却を行なう方法(特許文献2，特許文献3)，ファンによって直接搬送ベルトを冷却する方法(特許文献4)がある。
【特許文献１】特開平５−２１６３２２号公報
【特許文献２】特開平４−２１６５８０号公報
【特許文献３】特開２００２−９９１６８号公報
【特許文献４】特開平５−１９６４６号公報
【発明の開示】
【発明が解決しようとする課題】
【００１２】
高光沢定着方法においては一旦冷却された搬送ベルトを再びトナーが溶融可能な温度に加熱する必要がある。
【００１３】
ところが搬送ベルトの冷却された部分に次の記録シートが接した状態で加熱されると，搬送ベルトの温度低下分だけ記録シートが加熱されないことでトナーの溶融が不完全となり，結果的に光沢ムラ等の画像不良を起こすことがあった。
【００１４】
この問題に関して特許文献1及び特許文献4には関連した記載はない。
【００１５】
特許文献2においては，冷却ローラが搬送ベルトに対して接離可能として冷却ローラの冷却効率を向上させることが記載されている。
【００１６】
また，特許文献3においても，冷却構造体が無端ベルトに対して接離する例も示されている。
【００１７】
冷却手段が搬送ベルトに対して接離することは，離間している間は搬送ベルトの温度低下が防止できるという点では，この問題に対してある程度の効果が期待される。
【００１８】
しかし搬送ベルトの温度低下による定着不良の防止に対しての言及は一切なされていない。
【００１９】
上記のような定着不良を防止するためには搬送ベルトの温度低下分を補えるだけの熱量を加熱手段に加えるか，加熱手段の上流側にこの熱量を搬送ベルトに予め与える予熱手段を配置することが考えられる。
【００２０】
しかし，いずれの方法もこの熱量分のエネルギーが余計に必要になり，省エネルギーの観点から問題が残る。
【００２１】
従って本発明の目的は高光沢定着方法のような冷却工程を含む定着方法に於いて，搬送ベルトの温度低下による定着不良の防止と，省エネルギー性を両立することである。
【課題を解決するための手段】
【００２２】
前記課題を解決するため、第１の発明における定着装置は、
複数のベルト支持ローラで張架されて回転する無端状の搬送ベルトと，
トナー像を担持する記録シートをそのトナー像形成面が前記搬送ベルトに当接する状態で加熱・加圧する加熱・加圧手段と，
その下流側で前記搬送ベルトに密着させたまま搬送された記録シートを，前記搬送ベルトとともに冷却して記録シートを前記搬送ベルトから分離せしめる冷却手段と，
を備えた定着装置において，
記録シートの前記搬送ベルト上における回転方向の貼り付け位置を調整するものであり，連続して複数の記録シートを定着する時，任意の記録シートの前記貼り付け位置を，その記録シートの搬送方向下流側の記録シートの冷却によって生じた搬送ベルト低温部が初めて前記加熱・加圧手段により加熱される部分を含まないように調整する為の，記録シート配置調整手段を備えたことを特徴とする。
【００２３】
第２の発明における定着装置は、
前記記録シート配置調整手段は，前記搬送ベルトに記録シートを送り込むタイミングを調整する搬送タイミング調整手段を含むことを特徴とする第１の発明に記載の定着装置である。
【００２４】
第３の発明における定着装置は、
前記記録シート配置調整手段は，前記搬送ベルトの回転速度を調整する搬送ベルト速度調整手段を含むことを特徴とする、第１の発明又は、第２の発明に記載の定着装置である。
【００２５】
第４の発明における定着装置は、
前記記録シート配置調整手段は，前記搬送ベルトの回転方向を正逆転する搬送ベルト回転方向切替手段を含むことを特徴とする第１の発明〜第３の発明のいずれかに記載の定着装置である。
【００２６】
（作用）
本発明によれば，記録シート配置調整手段を設けることにより，連続して複数の記録シートを定着する時，任意の記録シートの前記貼り付け位置を，その記録シートの搬送方向下流側の記録シートの冷却によって生じた搬送ベルト低温部が初めて前記加熱・加圧手段により加熱される部分を含まないように調整する為，加熱・加圧手段による記録シートの加熱時に，搬送ベルト低温部とともに記録シートを加熱することによって必要となる過剰な熱量が不要となり，搬送ベルトの温度低下による定着不良の防止が可能となる。
【発明の効果】
【００２７】
以上述べたように本発明によれば記録シートの搬送ベルトへの貼り付け位置を，その上流側の記録シートの冷却により形成される搬送ベルトの低温部とオーバーラップしないように，搬送タイミングを調整，又は搬送ベルトの搬送速度を加減，又は搬送ベルトの搬送方向を逆転させることで，連続的に記録シートを定着する場合でも低温部とともに記録シートを加熱することによって必要となる過剰な熱量が不要で，搬送ベルトの冷却による温度低下による定着不良のない高品位な高光沢画像を得られる定着装置を提供することが可能となる。
【発明を実施するための最良の形態】
【００２８】
以下，本発明の各実施の形態を図1〜図9を用いて説明する。
【実施例１】
【００２９】
図1，図2は本発明の実施の形態に係る定着装置の概要を示す図で，図1が主断面図，図2が図1のI-I断面図である。
【００３０】
図1に示すように本定着装置は加熱ローラ10，テンションローラ20，無端ベルト30，加圧ローラ40，冷却手段50で主要部が構成されている。
【００３１】
加熱ローラ10はアルミニウム，ステンレス等の金属性の芯金11に弾性層12を有する。
【００３２】
弾性層12は厚さ0.5〜5mm程度の厚さのシリコンゴム等から成る層12ａと，その表層に厚さ5〜50μm程度の厚さのPFＡあるいはPＴFE等のフッ素樹脂の層12bを有する。
【００３３】
さらに加熱ローラ10の内部には加熱用のハロゲンヒータ13が配設され加熱ローラ表面温度が所定の定着温度(例えば120〜180℃)になるよう図示されていない温度センサによる検知情報に基づき加熱・制御される。
【００３４】
加熱ローラ10は図示されていない支持フレームに回転自在に支持され，回転駆動手段(図示せず)によって所定の方向(矢印A方向)に回転駆動される。
【００３５】
テンションローラ20は加熱ローラ10とともに無端ベルト30を張架するローラであり，例えばアルミニウム，ステンレス等の金属材料で形成される。
【００３６】
テンションローラ20は図示しない支持フレームに回転自在に支持されるとともにバネ等からなる公知の張力付与手段によって無端ベルトに張力を付与する。
【００３７】
上記無端ベルト30は，図3に示すように厚さが30〜200μｍ程度のベルト基材31とその基材31の外周面側に形成される厚さが10〜200μｍ程度の弾性離型層32とで構成されている。
【００３８】
このうちベルト基材31については，ポリイミド，ポリアミド等の耐熱性樹脂やニッケル，アルミニウム等の金属材料を用いて形成される。
【００３９】
また，弾性離型層32については，シリコーン系ゴム，フッ素系ゴム等にて形成される。この無端ベルト30の外周面(具体的には弾性離型層32の表面)は，できる限り平滑面(鏡面に近いもの)であることが望ましい。
【００４０】
無端ベルト30は，加熱ローラ10とテンションローラ20の間に張架され，加熱ローラ10の回転駆動により図中の矢印A方向に回転走行するようになっている。
【００４１】
加圧ローラ40は，無端ベルト30を加熱ローラ10に圧接させるように配設されるものであり，例えば前記した加熱ローラ10のローラ本体と同じ層構造からなるものである。なお，この加圧ローラ40には，必要に応じて加熱ローラ10と同様に，加熱用ハロゲンランプ13を配設して加熱機能を付加してもよい。
【００４２】
この加圧ローラ40は，図示されていない支持フレームに回転自在に支持されているとともに，所定の圧力(50〜200ｋｇf)で圧接方向に付勢されるように図示されていない公知の加圧機構に支持されている。
【００４３】
また，この加圧ローラ40の圧接により，当該ローラ40と加熱ローラ10に架かる無端ベルト30との間には所定幅の圧接部(以降ニップ部Nと呼ぶ)が形成される。
【００４４】
冷却手段50は図2に示すように無端ベルト30の加熱ローラ10からテンションローラ20に至るまでの側のベルト表面にエアーを矢印A方向に供給して空冷する送風ファン51と，送風ファン51から無端ベルト30を通過して開口端部53から吐出する通気ダクト52とで構成されている。
【００４５】
冷却手段50は，定着対象の記録シートPが搬送ベルト30から分離する所定の温度まで冷却するためのものである。
【００４６】
また冷却手段50は図示されていない支持フレームに固定支持されるように配設されている。
【００４７】
この定着装置は，電子写真方式を利用したプリンタ等のフルカラー画像形成装置で形成されたトナー像Ｔを担持する記録シートPが定着対象物である。
【００４８】
このため，この定着装置にはトナー像Ｔを担持した記録シートPを無端ベルト30と加圧ローラ40との間のニップ部Nに導入するように搬送するための図示されていないベルト搬送装置等のシート搬送手段が配設されている。
【００４９】
さらにシート搬送手段の搬送タイミングを調整する不図示のシート搬送タイミング調整手段が配設される。
【００５０】
また，無端ベルト30がテンションローラ20に到達する時点で無端ベルト30から分離されるシートPを定着装置外にある収容トレイや他の後処理装置などに対して排出する図示されていない排出ローラ対等の排出手段が配置されている。
【００５１】
さらに，この定着装置の定着対象となる記録シートPは，画像形成装置に適用可能である記録媒体であれば特に制約されるものではないが，この定着装置により光沢性に富む写真調の画像が得る観点から，図4に例示するように基材100に熱可塑性樹脂を主成分とする透明樹脂層110を積層形成したものが使用される。
【００５２】
基材100としては，画像形成用の普通紙，コート紙や，印画紙等が挙げられる。
【００５３】
透明樹脂層110を構成する熱可塑性樹脂としては，ポリエチレン樹脂，スチレン−アクリル酸エステル樹脂等が挙げられる。
【００５４】
また，透明樹脂層110は，定着時の加熱加圧により溶融してトナー像Ｔが埋め込まれる程度の層厚さからなるものであることが好ましい。
【００５５】
次に，この定着装置の動作について図5及び図6を用いて説明する。
【００５６】
動作条件として記録シートを何枚か連続して定着する連続モードの場合を説明する。
【００５７】
図5(ａ)は定着動作のスタンバイ状態になったところを示している。
【００５８】
加熱ローラ10は無端ベルト30を矢印A方向に周速度Vの一定速度で回転走行させるとともに，加熱用ハロゲンヒータ13によって加熱ローラ30とともに無端ベルト30を所定の温度まで加熱して保持している。
【００５９】
図中，無端ベルト30の断面の色が灰色となっていることで，無端ベルトがニップ部Nで定着可能な所定の加熱状態になっていることを示す。
【００６０】
次に図示しないシート搬送手段からニップ部Nに最初の記録シートP1が導入される。(図5(b))
尚，記録シートP1はその下面に画像形成装置で形成されたトナー像Ｔが担持されている。トナーＴは画像形成装置側の定着器でシートP1に仮定着されていてもよい。
【００６１】
ニップ部NではトナーＴが加熱・加圧されて溶融し記録シートPの前記透明樹脂層110(図4)内に埋め込まれる。
【００６２】
そして記録シートPはニップ部Nを通過した後も無端ベルト30の外周面に密着した状態で矢印A方向に搬送される。
【００６３】
次に，記録シートP1の搬送方向下流端部P1ａが冷却手段50に到達する直前に冷却手段50の送風ファンが作動する。
【００６４】
そして記録シートP1及び搬送ベルト30は冷却手段50による強制空冷の作用で冷却され，記号Cに示すように放熱する(図5(c))。
【００６５】
冷却手段は記録シートP1の搬送方向上流側端部P1bが冷却手段50を離脱した直後に送風ファンを停止することでその作動を停止する。
【００６６】
この結果，搬送ベルト30の記録シートP1が密着している周辺の温度は記録シートP1とともに低温となる。
【００６７】
この低温部31を無端ベルト30の断面の色が白色になっていることで表す。
【００６８】
トナーＴは記録シートP1に埋め込まれる形態で冷却されることで固化し，無端ベルト30への密着状態が解かれながら搬送される。
【００６９】
そして記録シートP1はテンションローラ20に到達するとローラの曲率と記録シートのこしの強さによって搬送ベルトから自然に離脱し図示されていない排出手段によって排紙トレイ等に収容される。(図5(d))
続いて2番目の記録シートP2が，P1と同様にトナーＴを担持した状態でニップ部Nに導入される。(図5(e))
この記録シートP2がニップ部Nに導入されるタイミングは，記録シートP2が密着する搬送ベルト30の範囲に低温部31が含まれないように前記シート搬送タイミング調整手段によって予め調整される。
【００７０】
記録シートP2は，記録シートP1の時と同様の定着プロセスを経るとともに，搬送ベルト30には記録シートP2による低温部32が形成される。
【００７１】
一方，記録シートP1の冷却により形成された低温部31は加熱ローラ10によって加熱され，低温部がニップ部Nを通過する時には定着可能な加熱状態に復帰する。
【００７２】
図5(f)においては，低温部31の搬送方向下流側先端部31ａからニップ部Nの範囲は定着可能な加熱状態になっていることを示している。
【００７３】
また，記録シートP2の搬送方向上流側端部P2bと前記記録シートのP1冷却による低温部31の端部31ａとオーバーラップしていない。
【００７４】
従って2番目の記録シートP2が低温部31の影響で加熱不足に陥り，定着不良が発生することはない。
【００７５】
これ以降の記録シートの定着動作も図5(d)から図5 (f)の繰り返しとなる。
【００７６】
ところで，連続モードの定着動作では通常，ニップ部Nの上流側にある図示しないシート搬送手段から記録シートが連続的に等間隔のタイミングで搬送されて成される。
【００７７】
この時場合によっては図6(ａ)に示すように搬送ベルトの低温部31に記録シートPが当接するタイミングで搬送されることがある。
【００７８】
この場合は前記シート搬送タイミング調整手段によって前記シート搬送手段を一旦停止又は減速させ，低温部31が加熱ローラ上を通過するのを待つ(図6(b))。
【００７９】
そして，低温部の搬送方向上流側端部31bと記録シートの搬送方向下流側端部Pａとのオーバーラップが回避された時点で前記シート搬送手段の搬送速度を定常速度に復帰させてニップ部Nに記録シートPを導入する(図6(c))。
【００８０】
このようにしてあらゆるケースで，低温部31の影響で加熱不足に陥り定着不良が発生することを防止できる。
【００８１】
本実施例によれば記録シートの搬送ベルト30への貼り付け位置を，その上流側の記録シートの冷却により形成される搬送ベルト30の低温部とオーバーラップしないように前記シート搬送タイミング調整手段によって予め記録シートの搬送タイミングを設定し，その低温部が定着ニップ部を通過するまでに定着可能な温度に復帰するように設定することによって，連続的に記録シートを定着する場合でも低温部とともに記録シートを加熱することによって必要となる過剰な熱量が不要で，搬送ベルトの冷却による温度低下による定着不良のない高品位な高光沢画像を得られる定着装置を提供することが可能となる。
【実施例２】
【００８２】
図7に本発明に係る第2の実施例の概略動作を示す。
【００８３】
本実施例は第1の実施例に対し，加熱ローラの回転速度を調整する不図示の搬送ベルト速度調整手段が配設されている。
【００８４】
図7は記録シートを何枚か連続して等間隔で定着する連続モードの動作条件の途中の状態で，その表記方法は第1の実施例における図6と同様である。
【００８５】
図7(ａ)において，搬送ベルト30は加熱ローラ10を図示しない駆動手段で周速度V1で矢印A方向に回転走行中である。
【００８６】
この時上流側の記録シートを冷却することで形成された搬送ベルト30の低温部31の搬送方向下流側端部31ａはニップ部N付近に到達している。
【００８７】
一方記録シートPは図示しないシート搬送手段によってニップ部N付近まで到達しているが，このままシートが搬送されると搬送ベルトの低温部31とオーバーラップして当接することになり，加熱不足で定着不良を発生する恐れがある。
【００８８】
これを回避する為本実施例においては前記搬送ベルト速度調整手段によって加熱ローラの周速度を変更する。
【００８９】
例えば加熱ローラの周速度をV2に増加させて低温部31が加熱ローラ上を通過させる(図7(b))。
【００９０】
そして，低温部の搬送方向上流側端部31bと記録シートの搬送方向下流側端部Pａとのオーバーラップが回避された時点で加熱ローラの周速度を定常速度V1に復帰させてニップ部Nに記録シートPを導入する(図7(c))。
【００９１】
尚，本例では周速度を増加させたが，減速あるいは停止させてオーバーラップを回避させてもよい。
【００９２】
このようにしてあらゆるケースで，低温部31の影響で加熱不足に陥り定着不良が発生することが防止できる。
【００９３】
本実施例によれば記録シートの搬送ベルト30への貼り付け位置を，その上流側の記録シートの冷却により形成される搬送ベルト30の低温部とオーバーラップしないように前記搬送ベルト速度調整手段によって搬送ベルト30の周速度を変えるようにしたことで，記録シートの搬送タイミング調整の為のニップ部N上流側のシート搬送手段の停止・減速を極力行なうことなく本願の目的を達成することが可能となるため，より生産性の高い定着装置を提供することができる。
【実施例３】
【００９４】
図8，図9に本発明に係る第3の実施例の概略動作を示す。
【００９５】
本実施例は第1の実施例に対し，加熱ローラの回転方向を切替可能とする不図示の搬送ベルト回転方向切替手段が配設されている。
【００９６】
図8は記録シートを何枚か連続して等間隔で定着する連続モードの動作条件の途中の状態で，その表記方法は第1の実施例における図6と同様である。
【００９７】
図8(ａ)において，搬送ベルト30は加熱ローラ10を図示しない駆動手段で矢印A方向に回転走行中である。
【００９８】
この時上流側の記録シートを冷却することで形成された搬送ベルト30の低温部31の搬送方向下流側端部31ａはニップ部N付近に到達している。
【００９９】
一方記録シートPは図示しないシート搬送手段によってニップ部N付近まで到達しているが，このままシートが搬送されると搬送ベルトの低温部31とオーバーラップして当接することになり，加熱不足で定着不良を発生する恐れがある。
【０１００】
これを回避する為本実施例においては図8(b)に示すように前記搬送ベルト回転方向切替手段により加熱ローラの回転方向を逆転させる(矢印B)。
【０１０１】
本実施例の場合，逆転させる時点で低温部31のうち加圧ローラに掛かっている部分31ａ〜31cは，回転方向変更時の周速度減速・停止・反転加速のステップ中に定着可能温度に達するように設定している。
【０１０２】
定着可能温度に達した搬送方向(矢印A)における上流端部31cからもともとの低温部の上流側端部31bの間に残る低温領域が，記録シートPの搬送方向(矢印A)上流側端部Pbとオーバーラップしない位置まで搬送ベルトを逆転させた後，加熱ローラの回転方向・回転速度を元に戻し(矢印A)ニップ部Nに記録シートPを導入する(図8(c))。
【０１０３】
従って逆転して搬送ベルトを移動させる量は，第2の実施例における正転時に必要な移動量に対して31ａ〜31c分少なくてすむ。
【０１０４】
図9は搬送ベルトの低温部が31，32の2箇所ある場合を示している。
【０１０５】
さらにこの例では低温部31の搬送方向下流側端部31bと低温部32の搬送方向上流側端部32ａとの間隔が記録シートPの長さより短い。
【０１０６】
また，低温部31の搬送方向下流側端部31ａと低温部32の搬送方向上流側端部32bとの間隔が記録シートPの長さより長い。
【０１０７】
図9(ａ)において，搬送ベルト30は加熱ローラ10を図示しない駆動手段で矢印A方向に回転走行中である。
【０１０８】
低温部31に記録シートPが当接しないようにする為には，図8(b)の場合と同様に，加熱ローラ10の回転方向を矢印Bのように逆転すればよい。
【０１０９】
その移動距離は低温部の搬送方向(矢印A)下流側端部31ａの移動を基準にすると矢印Dに示す距離となる。(図9(b))
一方，図9(c)は図9(ａ)の状態から加熱ローラ10の回転方向を矢印A方向から変えずに低温部31・32に記録シートPが当接しない用にした場合である。
【０１１０】
低温部31の端部31bと低温部32の端部32ａの間隔が記録シートPの長さより短い為，実施例2(図7(b))で示した端部31bをニップ部N付近まで移動させるだけの移動量では記録シートPが低温部と当接することを回避できない。
【０１１１】
結局，これを回避するには低温部32の搬送方向(矢印A)上流側端部32bをニップ部N付近まで移動させる，矢印Eで示す距離を移動させなければならず，逆転させる場合(図9(b)矢印D)に較べ大きな移動距離を要する。
【０１１２】
従って場合によってはニップ部N上流側のシート搬送手段の停止・減速を余儀なくされ，生産性が悪化することも考えられる。
【０１１３】
尚，加熱ローラの周速度は逆転時通常の定着速度より大きくても小さくてもよい。
【０１１４】
また，場合によっては正転のまま通常の定着速度より大きい速度(あるいは小さい速度)となってオーバーラップを回避してもよい。
【０１１５】
本実施例においては前記搬送ベルト回転方向切替手段によって加熱ローラを逆回転可能としたことにより，より様々な場合において記録シートの搬送タイミング調整の為のニップ部N上流側のシート搬送手段の停止・減速をすることなく本願の目的を達成することが可能となるため，さらに生産性の高い定着装置を提供することができる。
【図面の簡単な説明】
【０１１６】
【図１】本発明に係る第1の実施例の定着装置の該略断面図である。
【図２】本発明に係る第1の実施例の定着装置の該略断面図である。
【図３】本発明に係る第1の実施例の搬送ベルトの概略断面図である。
【図４】本発明に係る第1の実施例の記録シートの概略断面図である。
【図５】本発明に係る第1の実施例の定着装置の動作説明図である。
【図６】本発明に係る第1の実施例の定着装置の動作説明図である。
【図７】本発明に係る第2の実施例の定着装置の動作説明図である。
【図８】本発明に係る第3の実施例の定着装置の動作説明図である。
【図９】本発明に係る第3の実施例の定着装置の動作説明図である。
【符号の説明】
【０１１７】
10  加熱ローラ
20  テンションローラ
30  無端ベルト
40  加圧ローラ
50  冷却手段
【図１】
2007199394.tif 000003
【図２】
2007199394.tif 000004
【図３】
2007199394.tif 000005
【図４】
2007199394.tif 000006
【図５】
2007199394.tif 000007
【図６】
2007199394.tif 000008
【図７】
2007199394.tif 000009
【図８】
2007199394.tif 000010
【図９】
2007199394.tif 000011